(57)【要約】【課題】ＩＣタグを用いて低コストで建設現場における工程進捗状況や作業員の就業状況などの作業状況の管理を行う。【解決手段】ＩＣタグ１２と、ＩＣタグ１２からタグＩＤを読み取るＩＣタグリーダ１４と、ＩＣタグリーダ１４と通信可能な管理サーバ１０とを含む。ＩＣタグ１２は、建設現場に存在する資材、工具、作業員等の要素の夫々に取付けられ、ＩＣタグリーダ１４は、建設現場の各空間内や各空間への出入口に取付けられる。管理サーバ１０は、各ＩＣタグリーダ１４からタグＩＤと当該ＩＣタグリーダ１４が設置された空間の空間ＩＤとを受信する情報受信部３０、タグＩＤ及び空間ＩＤと当該タグＩＤの読み取り時刻とに基づいて、各要素の各空間への入退場日時を管理する入退場管理部３２と、各要素の各空間への入退場日時に基づき各空間における作業状況を管理する作業状況管理部３４とを備える。【選択図】  図２
2005326965.tif 000002
【特許請求の範囲】
【請求項１】
固有のタグＩＤが記憶されたＩＣタグと、このＩＣタグに接近したときに前記記憶されたタグＩＤを読み取る機能を有するＩＣタグリーダと、このＩＣタグリーダと通信可能な管理サーバとを含んだ、建設現場を管理するためのシステムであって、
前記ＩＣタグは、建設現場に存在する資材、工具、作業員等の要素の夫々に取り付けられ、前記ＩＣタグリーダは、前記建設現場の各空間内及び／又は各空間への出入口に取り付けられており、
前記管理サーバは、
前記各ＩＣタグリーダが前記ＩＣタグから読み取ったタグＩＤと、当該ＩＣタグリーダが設置された空間を特定する空間ＩＤとを、当該ＩＣタグリーダから受信する情報受信部と、
前記受信したタグＩＤ及び空間ＩＤと、当該タグＩＤの読み取り時点を表す情報とに基づいて、前記各要素の各空間への入退場時点を管理する入退場管理部と、
前記入退場管理部が管理する各要素の各空間への入退場時点に基づいて、各空間における作業状況を管理する作業状況管理部と、を備えることを特徴とする建設現場管理システム。
【請求項２】
請求項１記載の建設現場管理システムにおいて、
前記建設現場で行われる各工程について、工事に必要な要素の組み合わせを表す工程ルールが記録された工程ルールデータベースを備え、
前記作業状況管理部は、前記入退場管理部が管理する各要素の各空間への入退場時点に基づいて、各空間に同時に存在する要素を特定し、この特定した要素と、前記工程ルールデータベースに記録された工程ルールとを照合することにより、各空間での工程進捗状況を管理する工程進捗管理部を含むことを特徴とする建設現場管理システム。
【請求項３】
請求項２記載の建設現場管理システムにおいて、
前記工程進捗管理部が管理する各空間の工程進捗状況を表示する進捗状況表示部を備えることを特徴とする建設現場管理システム。
【請求項４】
請求項１〜３のうち何れか１項記載の建設現場管理システムにおいて、
前記作業状況管理部は、前記入退場管理部が管理する各作業員の各空間への入退場時点に基づいて、各作業員の作業状況を管理する労務管理部を含むことを特徴とする建設現場管理システム。
【請求項５】
請求項１〜３のうち何れか１項記載の建設現場管理システムにおいて、
前記作業状況管理部は、前記入退場管理部が管理する各作業員の各空間への入退場時点に基づいて不安全状況を判定する安全管理部を備えることを特徴とする建設現場管理システム。
【請求項６】
固有のタグＩＤが記憶されたＩＣタグと、このＩＣタグに接近したときに前記記憶されたタグＩＤを読み取る機能を有するＩＣタグリーダと、このＩＣタグリーダと通信可能な管理サーバとを含んだシステムにより建設現場を管理するための方法であって、
前記ＩＣタグを、建設現場に存在する資材、工具、作業員等の要素の夫々に取り付け、
前記ＩＣタグリーダを、前記建設現場の各空間内及び／又は各空間への出入口に取り付け、
前記管理サーバにより、
（ａ）前記各ＩＣタグリーダが前記ＩＣタグから読み取ったタグＩＤと、当該ＩＣタグリーダが設置された空間を特定する空間ＩＤとを、当該ＩＣタグリーダから受信し、
（ｂ）前記受信したタグＩＤ及び空間ＩＤと、当該タグＩＤの読み取り時点を表す情報とに基づいて、前記各要素の各空間への入退場時点を管理し、
（ｃ）各要素の各空間への入退場時点に基づいて、各空間における作業状況を管理する、
ことを特徴とする建設現場管理方法。
【発明の詳細な説明】
【技術分野】
【０００１】
本発明は、建設現場において工程進捗や作業員の就業状況等の管理を行ううえで好適な建設現場管理システム及び方法に関する。
【背景技術】
【０００２】
建設現場では、工程管理や作業員の管理を適切に行なうべく、現場のどの場所でどの職種がどの位の時間作業しているかを把握することが必要である。そのためには、従来、工事管理者が長時間、作業現場に張り付いて作業状況を監視していなければならなかった。しかし、特に大規模な工事現場では、作業現場毎に管理者を配置することは現実的ではなく、また、作業現場にビデオカメラを設置して作業状況を監視することも考えられるが、撮影された映像を目視で分析しなければならないため、これも現実的とはいえない。
【０００３】
これに対して、例えば特許文献１には、建築現場での作業状況を管理するためのシステムが開示されている。このシステムでは、建築工事で用いられる各工具から工具識別情報及び作業が完了したことを示す完了情報を出力することにより、これらの情報に基づいて各作業位置における作業状況を把握できるようにしている。
【特許文献１】特開平７−１０５４６９号公報
【発明の開示】
【発明が解決しようとする課題】
【０００４】
しかしながら、特許文献１の構成では、例えば、トルクレンチには、締め付けトルクが一定以上となったことを検出するセンサと、このセンサが一定以上の締め付けトルクを検出したときに完了信号を送信する送信機が必要となるなど、完了情報を出力するために大掛かりな手段を工具毎に設けなければならず、大きなコストが掛かってしまう。
【０００５】
本発明は上記の点に鑑みてなされたものであり、ＩＣタグを用いて建設現場における工程進捗状況や作業員の就業状況などの作業状況の管理を行うことが可能な建設現場管理システム及び方法を提供することを目的とする。
【課題を解決するための手段】
【０００６】
上記の目的を達成するため、請求項１に記載された発明は、固有のタグＩＤが記憶されたＩＣタグと、このＩＣタグに接近したときに前記記憶されたタグＩＤを読み取る機能を有するＩＣタグリーダと、このＩＣタグリーダと通信可能な管理サーバとを含んだ、建設現場を管理するためのシステムであって、
前記ＩＣタグは、建設現場に存在する資材、工具、作業員等の要素の夫々に取り付けられ、前記ＩＣタグリーダは、前記建設現場の各空間内及び／又は各空間への出入口に取り付けられており、
前記管理サーバは、
前記各ＩＣタグリーダが前記ＩＣタグから読み取ったタグＩＤと、当該ＩＣタグリーダが設置された空間を特定する空間ＩＤとを、当該ＩＣタグリーダから受信する情報受信部と、
前記受信したタグＩＤ及び空間ＩＤと、当該タグＩＤの読み取り時点を表す情報とに基づいて、前記各要素の各空間への入退場時点を管理する入退場管理部と、
前記入退場管理部が管理する各要素の各空間への入退場時点に基づいて、各空間における作業状況を管理する作業状況管理部と、を備えることを特徴とする。
【０００７】
なお、本発明において「ＩＣタグ」とは、内部にデータを記憶するメモリを備え、所定の通信可能範囲内に入ったＩＣタグリーダ装置が、前記記憶したデータを読み出せるように構成された素子を意味する。この素子は、「ＲＦタグ」、「ＲＦＩＤ」などと呼ばれることもある。
【０００８】
また、請求項２に記載された発明は、請求項１記載の建設現場管理システムにおいて、
前記建設現場で行われる各工程について、工事に必要な要素の組み合わせを表す工程ルールが記録された工程ルールデータベースを備え、
前記作業状況管理部は、前記入退場管理部が管理する各要素の各空間への入退場時点に基づいて、各空間に同時に存在する要素を特定し、この特定した要素と、前記工程ルールデータベースに記録された工程ルールとを照合することにより、各空間での工程進捗状況を管理する工程進捗管理部を含むことを特徴とする。
【０００９】
また、請求項３に記載された発明は、請求項２記載の建設現場管理システムにおいて、
前記工程進捗管理部が管理する各空間の工程進捗状況を表示する進捗状況表示部を備えることを特徴とする。
【００１０】
また、請求項４に記載された発明は、請求項１〜３のうち何れか１項記載の建設現場管理システムにおいて、前記作業状況管理部は、前記入退場管理部が管理する各作業員の各空間への入退場時点に基づいて、各作業員の作業状況を管理する労務管理部を含むことを特徴とする。
【００１１】
また、請求項５に記載された発明は、請求項１〜３のうち何れか１項記載の建設現場管理システムにおいて、前記作業状況管理部は、前記入退場管理部が管理する各作業員の各空間への入退場時点に基づいて不安全状況を判定する安全管理部を備えることを特徴とする。
【００１２】
また、請求項６に記載された発明は、固有のタグＩＤが記憶されたＩＣタグと、このＩＣタグに接近したときに前記記憶されたタグＩＤを読み取る機能を有するＩＣタグリーダと、このＩＣタグリーダと通信可能な管理サーバとを含んだシステムにより建設現場を管理するための方法であって、
前記ＩＣタグを、建設現場に存在する資材、工具、作業員等の要素の夫々に取り付け、
前記ＩＣタグリーダを、前記建設現場の各空間内及び／又は各空間への出入口に取り付け、
前記管理サーバにより、
（ａ）前記各ＩＣタグリーダが前記ＩＣタグから読み取ったタグＩＤと、当該ＩＣタグリーダが設置された空間を特定する空間ＩＤとを、当該ＩＣタグリーダから受信し、
（ｂ）前記受信したタグＩＤ及び空間ＩＤと、当該タグＩＤの読み取り時点を表す情報とに基づいて、前記各要素の各空間への入退場時点を管理し、
（ｃ）各要素の各空間への入退場時点に基づいて、各空間における作業状況を管理する、
ことを特徴とする。
【発明の効果】
【００１３】
本発明によれば、ＩＣタグを用いて低コストで建設現場における工程進捗状況や作業員の就業状況などの管理を行うことができる。
【発明を実施するための最良の形態】
【００１４】
＝＝システム全体構成＝＝
図１は、本発明の一実施形態である建設現場管理システムの全体構成図である。同図に示すように、本実施形態の建設現場管理システムは、管理サーバ１０と、ＩＣタグ１２と、ＩＣタグリーダ１４とを備えている。
【００１５】
ＩＣタグ１２は、建設現場内に存在する資材、工具、作業員など（以下、これらを総称する場合は「要素」という）に夫々取り付けられている。また、ＩＣタグリーダ１４は、建設現場内の各空間１の内部、あるいは、各空間１への出入口に固定されており、ＩＣタグ１２から記憶データを読み取る機能を有すると共に、管理サーバ１０との間で通信を行なう機能を有している。
【００１６】
各ＩＣタグ１２には、それが取り付けられた要素を識別するためのＩＤ（以下、要素ＩＤという）が記憶されており、要素がＩＣタグリーダ１４に接近すると、ＩＣタグリーダ１４は当該ＩＣタグ１２からそのタグＩＤを読み取ることができる。各ＩＣタグリーダ１４には、それが設置された空間１を識別するためのＩＤ（空間ＩＤ）が割り当てられており、ＩＣタグ１２から読み取った要素ＩＤを自身の空間ＩＤと共に、管理サーバ１０へ送信する。
【００１７】
図２は、管理サーバ１０の機能ブロック図である。同図に示すように、管理サーバ１０は、検知結果データベース２０、入退場管理データベース２２、工程ルールデータベース２４、進捗管理データベース２６、工程計画データベース２８等の各データベースと、情報受信部３０、入退場管理部３２、工程進捗管理部３４、進捗状況表示部３６、労務管理部３８、作業状況表示部４０、安全管理部４２の各機能部とを備えている。
【００１８】
なお、工程ルールデータベース２４には、後述するように、建設現場で行われる各工程について、工事に必要な資材、工具、作業員等の各要素が記録されている。また、工程計画データベース２８には、建設現場で行われる各工程の工事内容や日程等の工事計画が格納されている。その他のデータベース２０，２２，２６は、管理サーバ１０による処理の過程でデータが記録されていくものであり、これらデータベースについては該当する箇所で説明する。
【００１９】
＝＝入退場管理＝＝
情報受信部３０は、各ＩＣタグリーダ１４がＩＣタグ１２から読み取った要素ＩＤを、当該ＩＣタグリーダ１４の空間ＩＤと共に、当該ＩＣタグリーダ１４から受信する。入退場管理部３２は、情報受信部３０が受信した要素ＩＤ及び端末ＩＤを、要素ＩＤの読み取り日時と共に検知結果データベース２０に蓄積記録する。そして、この検知結果データベース２０の記録データに基づいて、例えば次の（１）又は（２）の何れかの構成により、各要素の各空間への入退場日時を特定して入退場管理データベース２２へ記録する。なお、本実施形態では、情報受信部３０による要素ＩＤの受信日時が、要素ＩＤの読み取り日時に一致するとみなして、受信日時を読み取り日時として記録するものとしている。ただし、ＩＣタグリーダ１４から管理サーバ１０へ読み取り日時を送信するようにしてもよい。
【００２０】
（１）各空間内に設置したＩＣタグリーダにより空間内に存在する全ての要素ＩＤを読み取る構成
この構成（１）では、各空間に設置したＩＣタグリーダ１４により、定期的（例えば１分おき）にＩＣタグ１２から要素ＩＤを読み取り、その要素ＩＤと読み取り日時とを検知結果データベース２０に記録する。図３は、本方法（１）において検知結果データベース２０に記録されたデータの例を示す。同図に示すように、検知結果データベース２０には、空間ＩＤ、空間名称、読み取り日時、要素ＩＤ、及び要素名称が記録される。なお、管理サーバ１０は、空間ＩＤと空間名称の対応関係、及び、要素ＩＤと要素名称の対応関係を夫々記憶したマスタテーブルを備えており、入退場管理部３２は、これらのマスタテーブルを参照して、空間名称及び要素名称を取得する。ただし、空間及び要素は夫々空間ＩＤ及び要素ＩＤだけで特定できるので、検知結果データベース２０に空間名称及び要素名称を記録しなくてもよい。
【００２１】
入退場管理部３２は、検知結果データベース２０に記録されたデータに基づいて、各要素の空間への入場日時及び退場日時を判定して、空間に滞在した時間を計算し、入退場管理データベース２２に記録する。具体的には、各要素について、最初に要素ＩＤが読み取られた時点を入場日時とし、要素ＩＤが読み取られなくなった時点を退場日時とする。
【００２２】
図４は、図３のデータに対応する入退場管理データベース２２の記録データを示す。例えば、図３の例で、工具Ａは２００４年３月３０日９：０６に初めて要素ＩＤが読み取られたため、図４に示すように、工具Ａの入場日時は２００４年３月３０日９：０６となる。その後、９：０７にも工具Ａの要素ＩＤが読み取られているが、次の９：０８には工具Ａの要素ＩＤや読み取られていない。したがって、この場合、工具Ａの退場日時は２００４年３月３０日９：０８となる。なお、図３の例では、最新の読取り時刻が２００４年３月３０日１１：３７であり、この時点で、資材Ａ、資材Ｂの要素ＩＤは共に読み取られているため、資材Ａ、資材Ｂは空間内に存在すると判断され、図４に示すように、資材Ａ、資材Ｂの退場日時は未確定となっている。
【００２３】
（２）各空間の出入口に設置したＩＣタグリーダにより要素ＩＤを読み取る構成
この構成（２）では、各空間の出入口に設置したＩＣタグリーダ１４により、その空間に各要素が入場した時刻を記録する。図５は、本構成（２）において検知結果データベース２０に記録されたデータの例を示すものであり、上記構成（１）の図３と同じ状況を表している。同図に示すように、検知結果データベース２０には、空間ＩＤ、入退場区分、入退場日時（すなわち、要素ＩＤの読取り時刻）、要素ＩＤ、要素名称等が記録される。なお、入退場区分は、例えば、ある要素の要素ＩＤが最初に読み取られた場合は「入場」とし、以後、同じ要素ＩＤが読み取られる都度、「退場」、「入場」を交互に反転させることにより判定できる。このように検知結果データベース２０に記録された各要素の入退場日時を、入退場区分に応じて、そのまま入場日時及び退場日時として判定する。なお、入場と退場とを区別する方法はこれに限らず、例えば、出入口の内側寄りと外側寄りの２箇所にＩＣタグリーダ１４を設置し、各ＩＣタグリーダ１４による読み取りの時間差に基づいて要素の移動方向を認識して入場か退場かを判定するようにしてもよい。あるいは、１台のＩＣタグリーダ１４で移動方向を認識できるものが利用可能であれば、そのようなＩＣタグリーダ１４を設置することにより入場か退場かを判定することができる。
【００２４】
図６は、図５のデータに対応する入退場管理データベース２２の記録データを示す。例えば、工具Ａについて、入退場日時２００４年３月３０日９：０６の入退場区分が「入場」であるから入場日時は２００４年３月３０日９：０６となり、入退場日時２００４年３月３０日９：０８の入退場区分が「退場」であるから退場日時は２００４年３月３０日９：０８となる。
【００２５】
＝＝工程進捗管理＝＝
工程進捗管理部３４は、入退場管理データベース２２及び工程ルールデータベース２４を参照して、工程の進捗管理を行う。以下、工程進捗管理部３４が行う処理の内容を具体的に説明する。
【００２６】
図７は、工程ルールデータベース２４に記録されたデータの例を示す。同図に示すように、工程ルールデータベース２４には、各工程について、工程を識別するための工程ＩＤと、工事に必要な要素と、単位施工数量当たりの必要作業時間とが記録されている。同図の例では、工程ＩＤが「１０１」である工程（二重床）について、工事に必要な要素として「際根太」、「パーティクルボード」、「二重床用脚」、「システム根太」、「二重床施工者」、及び「ハンマー」が記録され、また、単位施工数量当たりの必要作業時間として、１ｍ２当たり０：１５時間（１５分）が記録されている。この例の場合、工程進捗管理部３４は、入退場管理データベース２２を参照して、「際根太」、「パーティクルボード」、「二重床用脚」、「システム根太」、「二重床施工者」、及び「ハンマー」が同じ空間に揃うと、その空間で「二重床」の施工作業が行われていると判断する。そして、その状態が、単位面積当たりの必要作業時間０．１５時間に、その空間の面積を掛けた時間だけ継続すると、当該作業は終了したと判断する。
【００２７】
例えば、検知結果データベース２０及び入退場管理データベース２２に夫々図８及び図９に示すデータが記録されているとする。なお、図８に示す検知結果データベース２０では、各要素について「工事種別」の欄に工種が記録されるものとしている。この工種は、例えば、各要素について要素ＩＤと工種との対応関係を格納したマスタテーブルを設けておき、このマスタテーブルを参照することにより取得される。図８及び図９の例では、３月３０日９：１５に二重床についての必要要素である「際根太」、「パーティクルボード」、「二重床用脚」、「システム根太」、「二重床施工者」、及び「ハンマー」が空間５０２に揃っているので、工程進捗管理部３４は、この時点で二重床の構成が開始されたと判断する。また、各空間の面積が格納されたマスタテーブルを参照して、空間５０２の面積を取得し、この面積（例えば１０ｍ２とする）と二重床の単位面積当たりの必要作業時間１５分を掛けた１５０分が経過した時点で、二重床の施工が終了したと判断する。
【００２８】
このように、工程進捗管理部３４は、入退場管理データベース２２に記録された各空間への各要素の入退場日時と、工程ルールデータベース２４に記録された各工程に必要な要素とに基づいて、各工程の進捗状況を把握する。そして、各工程の進捗状況を進捗管理データベース２６に記録する。なお、工程が終了したと判断された時点で、管理者宛に電子メールなどにより通知を行うようにしてもよい。
【００２９】
図１０は、進捗管理データベース２６に記録されたデータの例を示す。同図に示すように、進捗管理データベース２６には、各空間について、空間ＩＤと、その空間で行われる各工程の工程ＩＤと、その工程の進捗状況を表す進捗ステータス情報と、現在の進捗ステータスとなった日付とが記録される。なお、ステータス情報は、工程の進捗状況を例えば、「未着手」、「作業中」、「作業終了」、「検査終了」などで表す。このうち、「検査終了」は、進捗状況が「作業終了」である工程について、管理者が検査を終了した旨の入力を行うことにより設定される。
【００３０】
なお、工程進捗管理部３４は、後述する図１２に示すような工程表の上でマイルストーン（工程上である条件が整ったかどうかを管理するためのポイント）を設定し、設定されたマイルストーンに達したときに管理者へ例えば電子メールなどで連絡をする機能も有している。例えば、二重床を施工し始めてから１時間程度で途中経過を検査する必要がある場合、「二重床  施工開始後１時間」がマイルストーンとして設定され、工程進捗管理部３４は、二重床の工程が開始後、１時間が経過すると、その旨の画面表示を行い、あるいは、当該二重床工程の管理担当者宛にメール送信するなどの通知処理を行う。
【００３１】
進捗状況表示部３６は、進捗管理データベース２６に記録されたデータに基づいて、各工程の進捗状況を画面表示する。
【００３２】
図１１は、進捗状況表示部３６による表示画面の第１の例を示す。この例では、空間ごとに指定された工程の進捗状況が、施工現場を表す図面上での各空間に該当する位置に、工程の進捗状況に応じた色の濃淡により表示されている。このような表示画面によれば、現場全体の工程の現在の進捗状況を把握することができる。
【００３３】
図１２は、進捗状況表示部３６による表示画面の第２の例を示す。この例では、指定された空間で行われる各工程の進捗状況が工程表の形式で工程の進捗状況に応じた色の濃淡により表示されている。このような表示画面によれば、各工程の進捗を日次で把握することができる。
【００３４】
＝＝労務管理＝＝
労務管理部３８は、入退場管理データベース２２に記録された各空間での作業員、資材、工具の組み合わせで作業内容を判定し、各作業員がどの場所でどの位の時間、どの作業工程を行ったかを判定すると共に、労務歩掛りを自動算出する。なお、作業員、資材、工具の組み合わせによる作業内容の判定は、工程進捗管理部３４と同様に、工程ルールデータベース２４を参照して行われる。例えば、上記図８の例で、二重床作業者（作業員Ｂ）は、３月３０日９：１５〜１１：５２の間、空間５０２の二重床の施工に従事していたと判定される。この場合、作業時間は２時間３７分となるから、空間５０２の二重床施工面積が例えば１０ｍ２、一日の作業時間を例えば８時間として、労務歩掛りは、（２時間３７分／８時間）／１０ｍ２＝０．０３３人・日／ｍ２と計算される。
【００３５】
作業状況表示部４０は、労務管理部３８により判定された、各空間で行われる工程及び各作業員の配置状況を画面表示する。
【００３６】
図１３は作業状況表示部４０による表示画面の第１の例を示す。この表示画面では、現在時点で、指定された業種の工程作業が行なわれている空間及びその空間に存在する作業員の人数を表示している。
【００３７】
図１４は、作業状況表示部４０による表示画面の第２の例を示す。この表示画面では、指定された業種についての工程表のうえに、作業が完了しあるいは管理者による検査が完了した工程について、その工程に掛かった人工を合計して表示している。
【００３８】
＝＝安全管理＝＝
安全管理部４２は、入退場管理データベース２２に記録された各空間への各作業員の入場状況と、工程計画データベース２８に記録された各空間での作業予定工程とに基づいて、作業員が入場を許可されていない空間に入場したことを検知して、警報を発する。例えば、入退場管理データベース２２に図１５に例示するデータが記録されており、工程計画データベース２８には、空間３２３での現時点での予定作業が「ウレタン」となっている場合、安全管理部４２は、ウレタン施工の作業員ではなく、ウレタン作業中の空間への入場が許可されていない作業員Ｂが空間３２３に入場したことをもって、当該作業員Ｂについて警告を発する。
【００３９】
その他、安全管理部４２は、他の要素ＩＤとの組み合わせに基づいて、多様な安全管理を行なうことができる。  
例えば、ある作業員がある空間に存在しているとき、その空間に必要な安全具等（保護帽、安全帯、免許証）も同時に存在しなければ、必要な安全具等を装着していない旨の警報を発することができる。図１６に示す例では、作業員Ａが３月３０日８：４６に空間８９０に入場して当該作業員の要素ＩＤ２０８５が読み取られ、これと同時に、当該作業員Ａの保護帽の要素ＩＤ３１２１も読み取られているが、安全帯の要素ＩＤは読み取られていないので、安全帯を着用していない旨の警告を発する。
【００４０】
また、複数人での作業が義務付けられているピット等の空間での工程について、その空間に作業者が一人しかいないと判断された場合に警告を発することができる。図１７に示す例では、ピットである空間１６に３月３０日１３：０８に入場した作業員Ｅは単独であるため、ピット１６で単独作業が行われている旨の警告を発する。
【００４１】
＝＝本実施形態の効果等＝＝
以上説明したように、本実施形態の現場管理システムによれば、資材、工具、作業員などの各要素にＩＣタグ１２を付して、それらのＩＣタグ１２を現場の各空間に設けたＩＣタグリーダ１４で読み取ることにより、各要素の各空間への入退場日時を管理することができる。そして、このように管理した各要素の各空間への入退場日時に基づいて、各空間での工程の進捗状況や作業員の就業状況、さらには、不安全な状況を管理することができる。
【図面の簡単な説明】
【００４２】
【図１】本発明の一実施形態である建設現場管理システムの全体構成図である。
【図２】本実施形態の建設現場管理システムが備える管理サーバの機能ブロック図である。
【図３】入退場管理部が各要素の各空間への入退場日時を特定する第１の構成において検知結果データベースに記録されるデータの例を示す図である。
【図４】図３のデータに対応する入退場管理データベースの記録データを示す図である。
【図５】入退場管理部が各要素の各空間への入退場日時を特定する第２の構成において検知結果データベースに記録されるデータの例を示す図である。
【図６】図５のデータに対応する入退場管理データベースの記録データを示す図である。
【図７】工程ルールデータベースに記録されたデータの例を示す図である
【図８】工程進捗管理部の処理を説明するための検知結果データベースの記録データの例を示す図である。
【図９】工程進捗管理部の処理を説明するための入退場管理データベースの記録データの例を示す図である。
【図１０】進捗管理データベースに記録されたデータの例を示す図である。
【図１１】進捗状況表示部による表示画面の第１の例を示す図である。
【図１２】進捗状況表示部による表示画面の第２の例を示す図である。
【図１３】作業状況表示部による表示画面の第１の例を示す図である。
【図１４】作業状況表示部による表示画面の第２の例を示す図である。
【図１５】安全管理部による処理を説明するための入退場管理データベースの記録データの第１の例を示す図である。
【図１６】安全管理部による処理を説明するための入退場管理データベースの記録データの第２の例を示す図である。
【図１７】安全管理部による処理を説明するための入退場管理データベースの記録データの第３の例を示す図である。
【符号の説明】
【００４３】
１０  管理サーバ
１２  ＩＣタグ
１４  ＩＣタグリーダ
２０  検知結果データベース
２２  入退場管理データベース
２４  工程ルールデータベース
２６  進捗管理データベース
２８  工程計画データベース
３０  情報受信部
３２  入退場管理部
３４  工程進捗管理部
３６  進捗状況表示部
３８  労務管理部
４０  作業状況表示部
４２  安全管理部
【図１】
2005326965.tif 000003
【図２】
2005326965.tif 000004
【図３】
2005326965.tif 000005
【図４】
2005326965.tif 000006
【図５】
2005326965.tif 000007
【図６】
2005326965.tif 000008
【図７】
2005326965.tif 000009
【図８】
2005326965.tif 000010
【図９】
2005326965.tif 000011
【図１０】
2005326965.tif 000012
【図１５】
2005326965.tif 000013
【図１６】
2005326965.tif 000014
【図１７】
2005326965.tif 000015
【図１１】
2005326965.tif 000016
【図１２】
2005326965.tif 000017
【図１３】
2005326965.tif 000018
【図１４】
2005326965.tif 000019